(57)【要約】      （修正有）【課題】流通段階あるいは移動段階において、棚区画に設置されたトレーが間口から外へ転落することがなく、しかも使用時又は収納時のいずれの場合においても、転落防止手段が食材などに触れる恐れがないストック装置を提供すること。【解決手段】右側支持枠２と左側支持枠１間に長尺物品を収納するための棚区画４を上下に複数段有し、右側支持枠２と左側支持枠１間で形成される間口から長尺物品を出し入れするストック装置１０であって、複数段の棚区画４の高さ寸法以上の長さの鉛直部材５１を備える回動アーム部材５を、鉛直棒部材５１が間口の左右方向の略中央であって、間口の出入り口近傍となる使用位置から鉛直棒部材５１が右側支持枠２又は左側支持枠１のいずれかの側面近傍となる収納位置間において回動自在となるように設置した。【選択図】図１
0003147839.tif 000002
【実用新案登録請求の範囲】
【請求項１】
右側支持枠と左側支持枠間に長尺物品を収納するための棚区画を上下に複数段有し、該右側支持枠と該左側支持枠間で形成される間口から該長尺物品を出し入れするストック装置であって、
該複数段の棚区画の高さ寸法以上の長さの鉛直部材を備える回動アーム部材を、該鉛直棒部材が間口の左右方向の略中央であって、該間口の出入り口近傍となる使用位置から該鉛直棒部材が該右側支持枠又は該左側支持枠のいずれかの側面近傍となる収納位置間において回動自在となるように設置したことを特徴とするストック装置。
【請求項２】
該右側支持枠と該左側支持枠は、該右側支持枠の上部と該左側支持枠の上部を上部連結部材で連結され、該右側支持枠の下部と該左側支持枠の下部を下部連結部材で連結されることを特徴とする請求項１記載のストック装置。
【請求項３】
該上部連結部材は角材であることを特徴とする請求項２記載のストック装置。
【請求項４】
前記回動アーム部材は、該鉛直部材と、該鉛直部材の一端からそれぞれ直角に屈曲する中間水平部材と、該中間水平部材から該鉛直部材と該中間水平部材に対してそれぞれ直角となる方向に屈曲する取付け水平部材とからなることを特徴とする請求項１〜３のいずれか１項に記載のストック装置。
【請求項５】
該取付け水平部材の一方を、該上部連結部材にピンで軸支し、該取付け水平部材の他方を、該下部連結部材にピンで軸支することを特徴とする請求項４記載のストック装置。
【請求項６】
該取付け水平部材に、該取付け水平部材に直交する被ロック用部材を更に設けたものであって、該取付け水平部材と被ロック用部材の長手方向におけるそれぞれの中心線の交点が軸支の軸中心となることを特徴とする請求項５記載のストック装置。
【請求項７】
該取付け水平部材は、角材であることを特徴とする請求項５又は６記載のストック装置。
【請求項８】
該回動アーム部材を使用位置に固定し、該固定を解除し、該回動アーム部材を収納位置に固定し、該固定を解除するロック手段を更に、備えることを特徴とする請求項１〜７のいずれか１項に記載のストック装置。
【請求項９】
該ロック手段は、該上部連結部材に水平ピンで軸支され、上面部材と該上面部材の両側から下方へ延びる側面部材とからなる、該上部連結部材に嵌る形状のカバー部材であって、該側面部材の下面に下方から上方へ凹となる切り欠きを設けたものであることを特徴とする請求項８記載のストック装置。
【考案の詳細な説明】
【技術分野】
【０００１】
本考案は、薄物の長尺物品を収納する棚区画を上下多段に形成したストック装置において、流通段階あるいは移動段階などにおいて、棚区画の間口から該長尺物品が転落することを防止するストック装置に関するものである。
【背景技術】
【０００２】
右側支持枠と左側支持枠間に長尺物品を収納するための棚区画を上下に複数段有し、該右側支持枠と該左側支持枠間で形成される間口から該長尺物品を出し入れするストック装置が知られている。このストック装置に収納される長尺物品としては、例えばパンやピザなどの食材が置かれたトレーが知られている。このようなストック装置は、食材が置かれたトレーを収納したままで、流通段階におかれることがある。また、厨房で食材が置かれたトレーを収納した後、そのまま店内の販売位置に移動させることがある。
【０００３】
このようなストック装置は、流通段階あるいは移動段階において、振動あるいはカーブを曲がる時の慣性力などが間口方向へ働き、棚区画に設置されたトレーが間口から外へ転落することがある。
【０００４】
これを解決するものとして、流通段階や移動段階においては、ストック装置の間口の出入り口部分であって、間口の左右方向における中央を縦断するようにして固定ベルトを掛け、間口からのトレーの転落を防止する方法が知られている。固定ベルトはベルトの基端部をストック装置の上部又は下部に固定し、先端部の突起金具を、ストック装置の下部又は上部に固定した金具収納具に抜き差しするものである。この固定ベルトの固定解除の方法は、一般的な車のシートベルトのものと同じである。このようなストック装置によれば、開口の左右方向の中央部において上下に亘ってベルトが張られているため、棚区画に設置されたトレーに不意の外力が作用しても、間口から外へ転落することはない。
【考案の開示】
【考案が解決しようとする課題】
【０００５】
しかしながら、固定ベルトを使用する方法では、ベルトの長さ調整で折り返された短尺ベルトの端がトレーに置かれた食材に触れたりすることがあり、衛生上の問題があった。また、固定ベルトを使用しない時の収納場所はストック装置の天板の上であることが多く、見た目が悪いという問題があった。
【０００６】
従って、本考案の目的は、流通段階あるいは移動段階において、棚区画に設置されたトレーが間口から外へ転落することがなく、しかも使用時又は収納時のいずれの場合においても、転落防止手段が食材などに触れる恐れがなく、転落防止手段をコンパクトに収納できるストック装置を提供することにある。
【課題を解決するための手段】
【０００７】
すなわち、本考案は上記従来の課題を解決したものであって、右側支持枠と左側支持枠間に長尺物品を収納するための棚区画を上下に複数段有し、該右側支持枠と該左側支持枠間で形成される間口から該長尺物品を出し入れするストック装置であって、該複数段の棚区画の高さ寸法以上の長さの鉛直部材を備える回動アーム部材を、該鉛直棒部材が間口の左右方向の略中央であって、該間口の出入り口近傍となる使用位置から該鉛直棒部材が該右側支持枠又は該左側支持枠のいずれかの側面近傍となる収納位置間において回動自在となるように設置したストック装置を提供するものである。
【考案の効果】
【０００８】
本考案のストック装置によれば、流通段階あるいは移動段階において、棚区画に設置されたトレーが間口から外へ転落することがなく、しかも使用時又は収納時のいずれの場合においても、転落防止手段が食材などに触れる恐れがなく、転落防止手段をコンパクトに収納できる。
【考案を実施するための最良の形態】
【０００９】
次に、本考案の実施の形態におけるストック装置を図１〜図１０を参照して説明する。図１は本例のストック装置の回動アーム部材収納状態における斜視図、図２は図１のストック装置の回動アーム部材の上方取り付け部分を下から斜め上方へ向けて見た図、図３は本例のストック装置の回動アーム部材使用状態における簡略斜視図、図４（Ａ）は本例のストック装置の回動アーム部材の上方取り付け部分の分解斜視図、（Ｂ）は下方取り付け部分の分解斜視図、図５は回動アーム部材収納状態における上方取り付け部分の拡大図、図６は図５のロック手段を解除した状態における上方取り付け部分の拡大図、図７は図６から回動アームを回動させた状態における上方取り付け部分の拡大図、図８は図７から回動アームを更に回動させた使用状態における上方取り付け部分の拡大図、図９は回動アーム部材使用状態における上方取り付け部分の拡大図、図１０は本例のストック装置を上から見た簡略図である。なお、図２、３、５〜９中、棚区画の支持体４は描写すると図面が複雑となるため省略した。なお、本明細書中、「前」は長尺物品を出し入れする側を言い、「後」はその反対方向を言う。また、「左右方向」は前から見た方向を言う。
【００１０】
ストック装置１０は、右側支持枠２と左側支持枠１間に不図示の長尺物品を収納するための棚区画４を上下に複数段（本例では２３段）有し、右側支持枠２と左側支持枠１間で形成される間口９から長尺物品を出し入れするものであり、更に回動アーム部材５と、回動アーム部材５をロック及びアンロックするロック手段６を有する。
【００１１】
右側支持枠２と左側支持枠１は同じ形状のものを対峙させて使用するものであるため、右側支持枠２について説明し、左側支持枠１の説明を省略する。
【００１２】
右側支持枠２は、前後方向に所定間隔（Ｌ）、離間して設置した支柱となる２本の角材１１、１１間に断面がＬ字形状で長さが（Ｌ）よりやや長い支持体４１を上下に多数配設したものであり、支柱の下端にはキャスター７が付設されている。支持体４１のＬ字の１辺で形成される板状体を支柱に当接させ、Ｌ字の他の辺で形成される板状体（水平部材）を長尺物品が載置される支持面４２としたものである。従って、上下で隣接する支持面４２、４２間の距離が棚区画４の高さである。
【００１３】
ストック装置１０は右側支持枠２の支持体４１設置側と左側支持枠１の支持体４１設置側を対峙させ、右側支持枠２の上端と左側支持枠１の上端を上部連結部材３ａ（本例では２本）で、右側支持枠２の上下方向の中間部分と左側支持枠１の同様の中間部分を中間連結部材３ｂで、右側支持枠２の下端と左側支持枠１の下端を下部連結部材３ｃで、それぞれ接続したものである。なお、中間連結部材３ｂと下部連結部材３ｃは、平面視で斜めとなるように設置することで、他のストック装置とネスティングができ、収納スペースが小さくなるようにしている。なお、上部連結部材３ａ、中間連結部材３ｂ及び下部連結部材３ｃは、中空の角材とすることで、重量を抑えて強度を高めている。
【００１４】
また、右側支持枠２及び左側支持枠１の後方側端には、右側支持枠２と左側支持枠１とで形成される間口の間隔を狭くし、長尺物品が後方から外へ転落することを防止する目的で、所定幅で縦長の板状物８が設置されている。ストック装置１０の棚区画４に収納される長尺物品のサイズは、厚みが上下に隣接する支持体４の支持面４２間の寸法よりやや小さいものであり、また、長尺物品の幅寸法は右側支持枠２と左側支持枠１間の寸法よりやや小さく、左右一対の縦長の板状物８間の寸法より大きいものである。これにより、棚区画４に設置された長尺物品は後方の間口から外へ転落することはなく、前方の間口から出し入れされる。
【００１５】
回動アーム部材５は、複数段の棚区画４の高さ寸法以上の長さの鉛直部材５１と、鉛直部材５１の一端からそれぞれ直角に屈曲する中間水平部材５２ａ、５２ｂと、中間水平部材５２ａ、５２ｂから鉛直部材５１と中間水平部材５２ａ、５２ｂに対してそれぞれ直角となる方向に屈曲する取付け水平部材５３ａ、５３ｂとからなる。すなわち、平面視で中間水平部材５２ａ、５２ｂと取付け水平部材５３ａ、５３ｂは直角のアングルを形成している。それぞれの部材において、符号「ａ」は上方に位置する部材であり、符号「ｂ」は下方に位置する部材である。本例では鉛直部材５１と中間水平部材５２ａ、５２ｂは丸棒部材であり、取付け水平部材５３ａ、５３ｂは断面がコ字形状の角材である。取付け水平部材５３ａ、５３ｂを断面がコ字形状の角材とすることで、同じ角材の上部連結部材３ａに取り付け易くなり、またロック手段６を簡易な構造とすることができ、これによるロック効果が高まる。このような形状を有する回動アーム部材５は、取付け水平部材５３ａの天面から取付け水平部材５３ｂの天面までの上下方向における寸法が、上部連結部材３ａの下面から下部連結部材３ｃの下面までの上下方向における寸法と同じとなる。
【００１６】
取付け水平部材５３ａ、５３ｂの長さは、取付け水平部材５３ａ、５３ｂの上部連結部材３ａへの取り付け位置により異なり、一概に決定できないが、取付け水平部材５３ａ、５３ｂを上部連結部材３ａへの取り付け、回動アーム部材５を収納状態とした場合に、中間水平部材５２ａ、５２ｂが間口の出入り口近傍で、平面視で棚区画領域より外側となる寸法である。また、中間水平部材５２ａ、５２ｂの長さは、取付け水平部材５３ａ、５３ｂの上部連結部材３ａへの取り付け位置により異なり、一概に決定できないが、取付け水平部材５３ａ、５３ｂを上部連結部材３ａへの取り付け、回動アーム部材５を収納状態とした場合に、鉛直部材５１が右側支持枠２又は左側支持枠１のいずれかの側面端の近傍であって、棚区画の間口内に入り込まない寸法である。
【００１７】
また、上方の取付け水平部材５３ａには、中間水平部材５２ａと接続する側とは反対側における端部寄りに縦ピン５８が固設されている。縦ピン５８は取付け水平部材５３ａの上面より頭が突き出ている。これにより、突き出た部分が上部連結部材３ａに形成されたピン孔３１に嵌り、回動自在に支持されるようになっている（図４参照）。また、上方の取付け水平部材５３ａは、上部連結部材３ａに取り付け収納状態とした際、取付け水平部材５３ａの中間水平部材５２ａと接続する側とは反対側における端部が、上部連結部材３ａから後方側に突出するような長さとする。これにより、回動アーム部材５の収納状態におけるロック手段６によるロック効果が高まる。
【００１８】
また、上方の取付け水平部材５３ａには、取付け水平部材５３ａに直交する同じ角材である被ロック用部材５４が更に付設されており、取付け水平部材５３ａと被ロック用部材５４の長手方向（パイプ軸方向）におけるそれぞれの中心線の交点が軸支の軸中心となるようにしている。これにより、回動アーム部材５の使用状態におけるロック手段６によるロック効果が高まる。
【００１９】
なお、下方の取付け水平部材５３ｂには、中間水平部材５２ａと接続する側とは反対側における端部寄りにピン孔５６が形成されている。これにより、別途の部材である縦ピン支持部材５７の縦ピン５８の挿入を可能とし、固定側の縦ピン５８に対して取付け水平部材５３ｂを回動自在としている。なお、縦ピン支持部材５７は、底板を有する深底受け皿状のピン支持体５７１の底板に棒状の縦ピン５８が立つように固設したものである。
【００２０】
ロック手段６は、幅が上部連結部材３ａの幅より少し大で所定長さの上面部材６１と、上面部材６１の両側から上部連結部材３ａの高さより大の寸法で下方へ延びる側面部材６２、６３を有する上部連結部材３ａに嵌る形状のカバー部材であって、側面部材６２、６３の基端側に前後方向に貫通するピン孔を有し、側面部材６２、６３の下面に下方から上方へ凹となる切り欠き６５を設けたものである。切り欠き６５は上部連結部材３ａと被ロック用部材５４の幅寸法よりやや大の切り欠き幅を有する。そして、ロック手段６は、上部連結部材３ａに不図示の水平ピンで軸支され、上部連結部材３ａに対して上方側に回動自在となる。
【００２１】
次に、回動アーム部材５を上部連結部材３ａと下部連結部材３ｃに設置する方法を図３及び図４を参照して説明する。先ず、取付け水平部材５３ａに固定されている縦ピン５８を上部連結部材３ａのピン孔３１に差し込み、取付け水平部材５３ａの上面を上部連結部材３ａの下面に当接させる。これにより、下方側にある取付け水平部材５３ｂの上面が下部連結部材３ｃの下面に当接する。この状態において、縦ピン支持部材５７の縦ピン５８を取付け水平部材５３ｂのピン孔５６及び下部連結部材３ｃのピン孔３１ｃに通し、回動アーム部材５をこの状態に保持しつつ、縦ピン支持部材５７の脚部５９を下部連結部材３ｃに螺子止めして固定する。この状態において、取付け水平部材５３ｂは、縦ピン支持部材５７の底板５７１と下部連結部材３ｃとで挟持されるが、少々の隙間を有しての挟持であるため、取付け水平部材５３ｂは、固定側の縦ピン５８に対して回動自在である。そして、回動アーム部材５から手を離すと回動アーム部材５は重力により、少し下がるものの、上方の取付け水平部材５３ａに固定された縦ピン５８は、その突出長さが少し下がる分よりも大であるため、上部連結部材３ａのピン孔３１から外れることはない。
【００２２】
また、縦ピン支持部材５７には、２つの脚部５９で形成される前方の開口５７２を有する。前方の開口５７２は取付け水平部材５３ｂの回動角度を規制する機能を有する。すなわち、取付け水平部材５３ｂが図４（Ｂ）における右側脚部に当たる位置が、回動アーム部材５が使用位置、すなわち、鉛直棒部材５１が間口９の左右方向の略中央であって、棚区画４領域の外側で間口９の出入り口近傍となる位置であり（図１０の二点鎖線の位置）、取付け水平部材５３ｂが図４（Ｂ）における左側脚部に当たる位置が、回動アーム部材５が収納位置、すなわち、鉛直棒部材５１が右側支持枠２又は左側支持枠１のいずれかの側面近傍となる位置（図１０の実線の位置）である。
【００２３】
次に、ストック装置１０の使用方法を図５〜図９を参照して説明する。ストック装置１０において棚区画４からトレーなどの長尺物品を出し入れする際、回動アーム部材５は収納位置である。この場合、取付け水平部材５３ａは上部連結部材３ａと上下に重なり且つ直交しており、被ロック用部材５４は上部連結部材３ａと上下に重なっている。そして、この状態において、ロック手段６は上部連結部材３ａに押し付けられロックする。すなわち、ロック手段６の切り欠き部で取付け水平部材５３ａを挟みつけている。これにより、回動アーム部材５は収納位置に固定され、食材に触れることなく、また左支持枠体１に重なり、目に留まることがないため、見栄えもよい（図５）。
【００２４】
次いで、流通段階など棚区画４からトレーが転落する恐れがある場合、回動アーム部材５を使用状態にする。すなわち、ロック手段６を上方へ上げて、取付け水平部材５３ａを上部連結部材３ａとの関係においてフリーとする（図６）。次いで、回動アーム部材５を矢印Ｘの方向へ回動させ（図７）、図８の状態とする。すなわち、この状態は、取付け水平部材５３ａと上部連結部材３ａとが上下に重なり、被ロック用部材５４と上部連結部材３ａとが上下に重なって且つ直交する状態である。そして、この状態において、ロック手段６は上部連結部材３ａに押し付けられてロックする。すなわち、ロック手段６の切り欠き部で被ロック用部材５４を挟みつけている。これにより、回動アーム部材５は使用位置に固定され、食材に触れることがない（図９）。すなわち、回動アーム部材５は鉛直棒部材５１が間口９の左右方向の略中央であって、間口９の出入り口近傍となる使用位置から鉛直棒部材５１が左側支持枠１の側面近傍となる収納位置間において回動自在である。
【００２５】
本考案のストック装置１０は、上記実施の形態に制限されず、種々の変形例を採ることができる。すなわち、棚区画構造は上記形態に限定されず、上下の支持部材が、板状の上方天板及び下方天板であってもよい。すなわち棚区画は前後の間口を除いて閉じられた空間であってもよい。本考案のストック装置１０は、キャスターがないものであってもよい。キャスターがないストック装置１０であっても、流通段階において間口方向に意図せぬ外力が作用する場合があるからである。本考案のストック装置１０における回動アーム部材支持方法は、上記形態に限定されず、上部連結部材ではない板状の天板を連結部材とした場合、天板上にピン孔を形成し、これにピンを嵌めてもよい。本考案のストック装置１０において、ロック手段は任意の構成要素である。ロック手段がない場合、別途の部材を準備し、これで固定することもできる。本考案のストック装置１０は、一方の間口から出し入れする方法に限定されず、両方の間口から出し入れするものであってもよい。この場合、回動アーム部材５は両側に設置することもできる。
【図面の簡単な説明】
【００２６】
【図１】本例のストック装置の回動アーム部材収納状態における斜視図。
【図２】図１のストック装置の回動アーム部材の上方取り付け部分を下から斜め上方へ向けて見た図。
【図３】本例のストック装置の回動アーム部材使用状態における簡略斜視図。
【図４】（Ａ）は本例のストック装置の回動アーム部材の上方取り付け部分の分解斜視図、（Ｂ）は下方取り付け部分の分解斜視図。
【図５】回動アーム部材収納状態における上方取り付け部分の拡大図。
【図６】図５のロック手段を解除した状態における上方取り付け部分の拡大図。
【図７】図６から回動アームを回動させた状態における上方取り付け部分の拡大図。
【図８】図７から回動アームを更に回動させた使用状態における上方取り付け部分の拡大図。
【図９】回動アーム部材使用状態における上方取り付け部分の拡大図。
【図１０】本例のストック装置を上から見た簡略図。
【符号の説明】
【００２７】
１      左側支持枠
２      右側支持枠
３ａ    上方連結部材
３ｂ    中間連結部材
３ｃ    下方連結部材
４      棚区画
５      回動アーム部材
６      ロック手段
７      キャスター
５１    鉛直棒部材
５２ａ、５２ｂ    中間水平部材
５３ａ、５３ｂ    取付け水平部材
【図１】
0003147839.tif 000003
【図２】
0003147839.tif 000004
【図３】
0003147839.tif 000005
【図４】
0003147839.tif 000006
【図５】
0003147839.tif 000007
【図６】
0003147839.tif 000008
【図７】
0003147839.tif 000009
【図８】
0003147839.tif 000010
【図９】
0003147839.tif 000011
【図１０】
0003147839.tif 000012